(57)【要約】【課題】  情報の正確な記録及び／または再生を行う。【解決手段】  情報の記録及び／または再生を行う光ピックアップ装置１は、波長λ１（３９０［ｎｍ］≦λ１≦４３０［ｎｍ］）を含む複数の波長のレーザー光をＡＯＤ１００，ＤＶＤ２００に集光させる対物レンズ５を備えている。対物レンズ５は、１つ以上のレンズ本体５０と、レンズ本体５０の両面に設けられて光学機能面５２，５３を形成した反射防止膜５１とを備えている。この光学機能面５２，５３と波長λ１の第１レーザー光とのなす角度θ1が０［°］≦θ1≦６０［°］であるとき、光学機能面５２，５３における第１レーザー光のＰ偏光の反射率Ｒｐ1とＳ偏光の反射率Ｒｓ1とは、｜Ｒｐ1−Ｒｓ1｜≦２［％］となっている。【選択図】図１
2005038583.tif 000002
【特許請求の範囲】
【請求項１】
情報の記録及び／または再生を行う光ピックアップ装置に備えられ、波長λ１（３９０［ｎｍ］≦λ１≦４３０［ｎｍ］）を含む複数の波長のレーザー光を情報記録媒体に集光させる光学素子であって、
１つ以上の光学素子本体と、前記光学素子本体の少なくとも一方の面に設けられて光学機能面を形成した反射防止膜とを備え、
前記光学機能面と前記波長λ１の第１レーザー光とのなす角度θ1が０［°］≦θ1≦６０［°］であるとき、
前記光学機能面における前記第１レーザー光のＰ偏光の反射率Ｒｐ1とＳ偏光の反射率Ｒｓ1とは、｜Ｒｐ1−Ｒｓ1｜≦２［％］であることを特徴とする光学素子。
【請求項２】
請求項１記載の光学素子において、
前記光学機能面と前記波長λ１の第１レーザー光とのなす角度θ1が０［°］≦θ1≦６０［°］であるとき、
前記反射率Ｒｐ1と前記反射率Ｒｓ1とは、（Ｒｐ1＋Ｒｓ1）／２≦５［％］であることを特徴とする光学素子。
【請求項３】
請求項１または２記載の光学素子において、
前記複数の波長は、波長λ２（６３０［ｎｍ］≦λ２≦６７０［ｎｍ］）を含み、
前記光学機能面と前記波長λ２の第２レーザー光とのなす角度θ2が０［°］≦θ2≦５０［°］であるとき、
前記光学機能面における前記第２レーザー光のＰ偏光の反射率Ｒｐ2とＳ偏光の反射率Ｒｓ2とは、｜Ｒｐ2−Ｒｓ2｜≦４［％］であることを特徴とする光学素子。
【請求項４】
請求項３記載の光学素子において、
前記光学機能面と前記波長λ２の第２レーザー光とのなす角度θ2が０［°］≦θ2≦５０［°］であるとき、
前記反射率Ｒｐ2と前記反射率Ｒｓ2とは、（Ｒｐ2＋Ｒｓ2）／２≦５［％］であることを特徴とする光学素子。
【請求項５】
請求項１〜４の何れか一項に記載の光学素子において、
前記複数の波長は、波長λ３（７６０［ｎｍ］≦λ３≦８００［ｎｍ］）を含み、
前記光学機能面と前記波長λ３の第３レーザー光とのなす角度θ3が０［°］≦θ3≦５０［°］であるとき、
前記光学機能面における前記第３レーザー光のＰ偏光の反射率Ｒｐ3とＳ偏光の反射率Ｒｓ3とは、｜Ｒｐ3−Ｒｓ3｜≦４［％］であることを特徴とする光学素子。
【請求項６】
請求項５記載の光学素子において、
前記光学機能面と前記波長λ３の第３レーザー光とのなす角度θ3が０［°］≦θ3≦５０［°］であるとき、
前記反射率Ｒｐ3と前記反射率Ｒｓ3とは、（Ｒｐ3＋Ｒｓ3）／２≦５［％］であることを特徴とする光学素子。
【請求項７】
請求項１〜６の何れか１項に記載の光学素子において、
前記複数の波長は、波長λ２（６３０［ｎｍ］≦λ２≦６７０［ｎｍ］）及び波長λ３（７６０［ｎｍ］≦λ３≦８００［ｎｍ］）を含み、
前記光学機能面と前記波長λ２の第２レーザー光とのなす角度θ2が０［°］≦θ2≦５０［°］であるとき、
前記光学機能面における前記第２レーザー光のＰ偏光の反射率Ｒｐ2とＳ偏光の反射率Ｒｓ2とは、｜Ｒｐ2−Ｒｓ2｜≦２［％］であり、
前記光学機能面と前記波長λ３の第３レーザー光とのなす角度θ3が０［°］≦θ3≦５０［°］であるとき、
前記光学機能面における前記第３レーザー光のＰ偏光の反射率Ｒｐ3とＳ偏光の反射率Ｒｓ3とは、｜Ｒｐ3−Ｒｓ3｜≦２［％］であることを特徴とする光学素子。
【請求項８】
請求項７記載の光学素子において、
前記光学機能面と前記波長λ２の第２レーザー光とのなす角度θ2が０［°］≦θ2≦５０［°］であるとき、
前記反射率Ｒｐ2と前記反射率Ｒｓ2とは、（Ｒｐ2＋Ｒｓ2）／２≦５［％］であり、
前記光学機能面と前記波長λ３の第３レーザー光とのなす角度θ3が０［°］≦θ3≦５０［°］であるとき、
前記反射率Ｒｐ3と前記反射率Ｒｓ3とは、（Ｒｐ3＋Ｒｓ3）／２≦５［％］であることを特徴とする光学素子。
【請求項９】
請求項１〜８の何れか１項に記載の光学素子において、
前記複数の波長は、波長λ２（６３０［ｎｍ］≦λ２≦６７０［ｎｍ］）及び波長λ３（７６０［ｎｍ］≦λ３≦８００［ｎｍ］）を含むことを特徴とする光学素子。
【請求項１０】
請求項１〜９の何れか１項に記載の光学素子において、
前記反射防止膜は、各光学素子本体の両面に設けられていることを特徴とする光学素子。
【請求項１１】
請求項１〜１０の何れか一項に記載の光学素子において、
前記反射防止膜は、波長５００［ｎｍ］の光に対する屈折率ｎが
１．３≦ｎ≦１．５５である低屈折率材料と、
１．７≦ｎ≦２．５である高屈折率材料とのうち、少なくとも２種類の材料から形成されていることを特徴とする光学素子。
【請求項１２】
請求項１１記載の光学素子において、
前記低屈折率材料は、ＭｇＦ2またはＳｉＯ2を主成分とする材料であり、
前記高屈折率材料は、ＴｉＯ2、Ｔａ2Ｏ5、ＣｅＯ2、ＺｒＯ2、ＨｆＯ2またはＣｅＦ3を主成分とする材料であることを特徴とする光学素子。
【請求項１３】
請求項１〜１０の何れか一項に記載の光学素子において、
前記反射防止膜は、波長５００［ｎｍ］の光に対する屈折率ｎが
１．３≦ｎ＜１．５５である低屈折率材料と、
１．５５≦ｎ＜１．７である中屈折率材料と、
１．７≦ｎ＜２．５である高屈折率材料とのうち、少なくとも３種類の材料から形成されていることを特徴とする光学素子。
【請求項１４】
請求項１３記載の光学素子において、
前記低屈折率材料は、ＭｇＦ2またはＳｉＯ2を主成分とする材料であり、
前記中屈折率材料は、Ａｌ2Ｏ3を主成分とする材料であり、
前記高屈折率材料は、ＴｉＯ2、Ｔａ2Ｏ5、ＣｅＯ2、ＺｒＯ2、ＨｆＯ2またはＣｅＦ3を主成分とする材料であることを特徴とする光学素子。
【請求項１５】
請求項１〜１４の何れか一項に記載の光学素子において、
開口数が０．６５以上の対物レンズであることを特徴とする光学素子。
【請求項１６】
請求項１〜１５の何れか一項に記載の光学素子において、
前記光学素子本体はプラスチック成形されていることを特徴とする光学素子。
【請求項１７】
請求項１〜１５の何れか一項に記載の光学素子において、
前記光学素子本体はガラスモールド成形されていることを特徴とする光学素子。
【請求項１８】
請求項１〜１７の何れか一項に記載の光学素子において、
前記光学素子本体と前記反射防止膜との間には下地層が介在し、
前記下地層の屈折率ｎ0’は、前記光学素子本体の屈折率をｎ0とした場合に、｜ｎ0’−ｎ0｜≦０．１であることを特徴とする光学素子。
【請求項１９】
請求項１〜１８の何れか一項に記載の光学素子と、レーザー光源とを備え、
前記レーザー光源から出射されたレーザー光を前記光学素子によって光記録媒体上に集光することにより、この光記録媒体への情報の記録と、前記光記録媒体に記録された情報の再生と、の少なくとも一方を実行可能であることを特徴とする光ピックアップ装置。
【請求項２０】
請求項１９記載の光ピックアップ装置において、
前記光学素子本体に入射する複数の波長のレーザー光のうち、少なくとも１つは直線偏光であることを特徴とする光ピックアップ装置。
【発明の詳細な説明】
【技術分野】
【０００１】
本発明は、情報の記録及び／または再生を行う光ピックアップ装置と、光ピックアップ装置に備えられる光学素子とに関する。
【背景技術】
【０００２】
近年、光ピックアップ装置の高密度化に伴い、レーザー光の波長は短く、対物レンズ等の光学素子の開口数は大きくなってきている。例えば、４０５ｎｍの波長のレーザー光を用いる光ピックアップ装置においては、一般に、対物レンズの開口数は０．６〜０．９と大きくなっており、この対物レンズに対するレーザー光の最大入出射角度は６０〜７０［°］となっている。
【０００３】
ところで、情報の正確な記録再生を行うためにはビームスポットを良好な形状に保つ必要がある。そして、ビームスポット形状を良好に保つためには、対物レンズにおいて、入射角が大きく反射率の高い外周部の透過光強度と、反射率の低い中心部の透過光強度とを等しくする必要がある。そのため、対物レンズの反射防止膜の膜厚を中心部より外周部で厚くする技術（例えば、特許文献１参照）や、垂直入射時に反射率が最も低くなる波長を使用波長よりも長く設定して反射防止膜を設計する技術（例えば、特許文献２参照）等がある。
【特許文献１】特開平１０−１６０９０６号公報
【特許文献２】特開２００１−０５２３６６号公報
【発明の開示】
【発明が解決しようとする課題】
【０００４】
しかしながら、上記特許文献１，２に開示の技術を用いる場合には、対物レンズの外周部においてＰ偏光とＳ偏光との透過率が乖離してしまう。具体的には、例えば、使用波長λ=４０５［ｎｍ］でＮＡ=０．８５（最大入射角は６５［°］）のガラス製の対物レンズの両面にＭｇＦ2単層の反射防止膜が施されている場合を考える。ここで、ＭｇＦ2の単層の膜厚は７３［ｎｍ］であり、反射防止膜の反射率はλ＝４０５［ｎｍ］、入射角０［°］で約１．４［％］であるとする。このとき、λ=４０５［ｎｍ］、入射角６０［°］の場合におけるＰ偏光、Ｓ偏光の反射率をそれぞれ求めると、Ｐ偏光の反射率が０．６［％］であるのに対し、Ｓ偏光の反射率は１０．６［％］であり、その差は約１０［％］となってしまう。
【０００５】
また、図１３に示すように、このようなレンズを対物レンズ５０４として備えるとともに、半導体レーザー素子５０１、偏光ビームスプリッタ５０２、１／４波長板５０３、ディスク５０５、コリメータレンズ５０６，５０７及び受光素子５０８で構成される光ピックアップ装置を考える。
この光ピックアップ装置においては、まず、半導体レーザー素子５０１から出射されたレーザー光は、コリメータレンズ５０６及び偏光ビームスプリッタ５０２を透過して直線偏光となる。
次に、このレーザー光は１／４波長板５０３を透過して円偏光になり、対物レンズ５０４に入射する。この場合において、対物レンズ５０４の物側面（以下、Ｓ１面とする）に入射角６０［°］付近のレーザー光が入射したとき、Ｐ偏光の透過率は９９．４［％］（＝１００−０．６）、即ち約１００［％］なのに対し、Ｓ偏光の透過率は８９．４［％］（＝１００−１０．６）であるから、入射光は楕円偏光になる。一方、このレーザー光が対物レンズ５０４の像側面（以下、Ｓ２面とする）から出射する際、出射角も６０［°］付近となり、入射の場合と同様に、Ｐ偏光の透過率は約１００［％］なのに対し、Ｓ偏光の透過率は約９０［％］である。そのため、ここでもＰ偏光とＳ偏光とで透過率差が生じる結果、理想的な円偏光の状態から更に離れる。
次に、対物レンズ５０４を透過してディスク５０５で反射したレーザー光は、位相がπ反転し、偏光の回転方向が逆になった状態で、Ｓ２面、Ｓ１面の順に対物レンズ５０４を透過する。このようにレーザー光が合計で４つのレンズ面を透過することになるので、レンズ周辺部での透過光は、大きく変形した楕円偏光となる。一方、レンズ光軸付近ではＰ偏光、Ｓ偏光の透過率はほぼ等しいため、４つのレンズ面を透過した後も、この領域の透過光は、偏光の回転方向が逆になった円偏光となる。
そして、これらの光は、１／４波長板５０３を透過することによって直線偏光に変換され、偏光ビームスプリッタ５０２及びコリメータレンズ５０７を経て受光素子５０８に到達する。但し、対物レンズ５０４の周辺部を透過した光の振動面とレンズ光軸付近を透過した光の振動面とにはずれが生じており、また一般的に、偏光ビームスプリッタ５０２は光軸付近を透過したＰ偏光の光やＳ偏光の光を分離するように設計されているので、対物レンズ５０４の周辺部を透過して振動面がずれた光では分離のロスが生じて、受光素子５０８への入射光量が低下する原因となる。さらに、偏光ビームスプリッタ５０２ではＳ偏光の透過率自体が低いので、光量が更に低下する。そして、光量が低下すれば記録再生の精度が悪化してしまう。
【０００６】
また、１／４波長板５０３を配設せずに、対物レンズ５０４に直線偏光を入射させる光ピックアップ装置を考えると、上記と同様に、対物レンズ５０４における入射角６０［°］付近の領域では、透過の前後で偏光状態が変化する結果、直線偏光の振動面に垂直な径方向の透過率が減少してしまう。例えば、図１４（ａ），（ｂ）に示すように、直線偏光の振動面に平行な径方向（図中ｙ軸方向）の透過率、例えばＰ偏光の透過率を１とすれば、直線偏光の振動面に垂直な径方向（図中ｘ軸方向）の減少率、即ちＳ偏光の透過率は０．９の４乗、即ち約０．６５となり、Ｐ偏光とＳ偏光とで透過率に３５［％］もの差が発生してしまう。この透過率差は、ビームスポット形状を悪化させ、受光素子への入射光量の低下を招くとともに、フォーカスサーボ信号やトラッキングサーボ信号などに歪みを生じさせ、記録再生の精度を悪化させてしまう。なお、図１４中の矢印の向きは直線偏光の振動方向を示し、矢印の大きさは光強度を示している。
【０００７】
以上の説明から分かるように、λ＝４０５［ｎｍ］のレーザー光を対象とするピックアップレンズなど、高ＮＡのレンズでは、通常の反射防止膜を施しても記録再生に十分な精度が得られないため、Ｐ偏光、Ｓ偏光の透過特性が等しくかつ反射防止性能の高い反射防止膜が求められている。
【０００８】
また、光磁気記録装置においては光の偏光面の回転を検出する必要があるため、対物レンズにおいてＰ偏光とＳ偏光の透過率が等しくなることが望ましい。
【０００９】
本発明の課題は、情報の正確な記録及び／または再生を行うことができる光学素子を提供することである。
【課題を解決するための手段】
【００１０】
請求項１記載の発明は、情報の記録及び／または再生を行う光ピックアップ装置に備えられ、波長λ１（３９０［ｎｍ］≦λ１≦４３０［ｎｍ］）を含む複数の波長のレーザー光を情報記録媒体に集光させる光学素子であって、
１つ以上の光学素子本体と、前記光学素子本体の少なくとも一方の面に設けられて光学機能面を形成した反射防止膜とを備え、
前記光学機能面と前記波長λ１の第１レーザー光とのなす角度θ1が０［°］≦θ1≦６０［°］であるとき、
前記光学機能面における前記第１レーザー光のＰ偏光の反射率Ｒｐ1とＳ偏光の反射率Ｒｓ1とは、｜Ｒｐ1−Ｒｓ1｜≦２［％］であることを特徴とする。
【００１１】
ここで、複数の波長とは、２種類以上の波長のことである。
請求項１記載の発明によれば、光学機能面と第１レーザー光とのなす角度θ1が０［°］≦θ1≦６０［°］であるとき、光学機能面における第１レーザー光のＰ偏光の反射率Ｒｐ1とＳ偏光の反射率Ｒｓ1とは、｜Ｒｐ1−Ｒｓ1｜≦２［％］であるので、光学素子の外周部においてもＰ偏光とＳ偏光との透過率が同程度に高い。従って、光学素子に対してレーザー光源側に１／４波長板が配設された光ピックアップ装置においては、直線偏光から円偏光への変換と、円偏光から直線偏光への変換とが有効径内全体でほぼ確実に行われる。また、１／４波長板を配設せず、対物レンズに直線偏光を入射させる光ピックアップ装置においても、ビームスポットを良好な形状に保つことができる。
以上より、従来と異なり、光学素子の外周部におけるＰ偏光とＳ偏光との透過率の乖離に起因して光検出器の入射光量が減少したり、信号に歪みが生じたりすることがないため、第１レーザー光を用いて情報の正確な記録及び／または再生を行うことができる。
【００１２】
なお、上記光学素子においては、透過するＰ偏光とＳ偏光との位相差が等しくなるよう反射防止膜を設計することが好ましい。この場合には、前記１／４波長板において、直線偏光から円偏光への変換と、円偏光から直線偏光への変換とをより確実に行うことができる。
【００１３】
請求項２記載の発明は、請求項１記載の光学素子において、
前記光学機能面と前記波長λ１の第１レーザー光とのなす角度θ1が０［°］≦θ1≦６０［°］であるとき、
前記反射率Ｒｐ1と前記反射率Ｒｓ1とは、（Ｒｐ1＋Ｒｓ1）／２≦５［％］であることを特徴とする。
【００１４】
請求項２記載の発明によれば、光学機能面と波長λ１の第１レーザー光とのなす角度θ1が０［°］≦θ1≦６０［°］であるとき、反射率Ｒｐ1と反射率Ｒｓ1とは、（Ｒｐ1＋Ｒｓ1）／２≦５［％］であるので、光学素子における光量低下を最小限に抑えることができる。従って、第１レーザー光を用いて、より高精度に情報の記録及び／または再生を行うことができる。
【００１５】
請求項３記載の発明は、請求項１または２記載の光学素子において、
前記複数の波長は、波長λ２（６３０［ｎｍ］≦λ２≦６７０［ｎｍ］）を含み、
前記光学機能面と前記波長λ２の第２レーザー光とのなす角度θ2が０［°］≦θ2≦５０［°］であるとき、
前記光学機能面における前記第２レーザー光のＰ偏光の反射率Ｒｐ2とＳ偏光の反射率Ｒｓ2とは、｜Ｒｐ2−Ｒｓ2｜≦４［％］であることを特徴とする。
【００１６】
請求項３記載の発明によれば、光学機能面と第２レーザー光とのなす角度θ2が０［°］≦θ2≦５０［°］であるとき、光学機能面における第２レーザー光のＰ偏光の反射率Ｒｐ2とＳ偏光の反射率Ｒｓ2とは｜Ｒｐ2−Ｒｓ2｜≦４［％］であるので、記録再生の精度を高めることができる。また、光学素子の外周部においてもＰ偏光とＳ偏光との透過率が同程度に高い。従って、従来と異なり、光検出器の入射光量が減少したり、信号に歪みが生じたりすることがないため、第２レーザー光を用いて情報の正確な記録及び／または再生を行うことができる。
【００１７】
請求項４記載の発明は、請求項３記載の光学素子において、
前記光学機能面と前記波長λ２の第２レーザー光とのなす角度θ2が０［°］≦θ2≦５０［°］であるとき、
前記反射率Ｒｐ2と前記反射率Ｒｓ2とは、（Ｒｐ2＋Ｒｓ2）／２≦５［％］であることを特徴とする。
【００１８】
請求項４記載の発明によれば、光学機能面と波長λ２の第２レーザー光とのなす角度θ2が０［°］≦θ2≦５０［°］であるとき、反射率Ｒｐ2と反射率Ｒｓ2とは、（Ｒｐ2＋Ｒｓ2）／２≦５［％］であるので、光学素子における光量低下を最小限に抑えることができる。従って、第２レーザー光を用いて、より高精度に情報の記録及び／または再生を行うことができる。
【００１９】
請求項５記載の発明は、請求項１〜４の何れか一項に記載の光学素子において、
前記複数の波長は、波長λ３（７６０［ｎｍ］≦λ３≦８００［ｎｍ］）を含み、
前記光学機能面と前記波長λ３の第３レーザー光とのなす角度θ3が０［°］≦θ3≦５０［°］であるとき、
前記光学機能面における前記第３レーザー光のＰ偏光の反射率Ｒｐ3とＳ偏光の反射率Ｒｓ3とは、｜Ｒｐ3−Ｒｓ3｜≦４［％］であることを特徴とする。
【００２０】
請求項５記載の発明によれば、光学機能面と第３レーザー光とのなす角度θ3が０［°］≦θ3≦５０［°］であるとき、光学機能面における第３レーザー光のＰ偏光の反射率Ｒｐ3とＳ偏光の反射率Ｒｓ3とは｜Ｒｐ3−Ｒｓ3｜≦４［％］であるので、光学素子の外周部においてもＰ偏光とＳ偏光との透過率が同程度に高い。従って、従来と異なり、光検出器の入射光量が減少したり、信号に歪みが生じたりすることがないため、第３レーザー光を用いて情報の正確な記録及び／または再生を行うことができる。
【００２１】
請求項６記載の発明は、請求項５記載の光学素子において、
前記光学機能面と前記波長λ３の第３レーザー光とのなす角度θ3が０［°］≦θ3≦５０［°］であるとき、
前記反射率Ｒｐ3と前記反射率Ｒｓ3とは、（Ｒｐ3＋Ｒｓ3）／２≦５［％］であることを特徴とする。
【００２２】
請求項６記載の発明によれば、光学機能面と波長λ３の第３レーザー光とのなす角度θ3が０［°］≦θ3≦５０［°］であるとき、反射率Ｒｐ3と反射率Ｒｓ3とは、（Ｒｐ3＋Ｒｓ3）／２≦５［％］であるので、光学素子における光量低下を最小限に抑えることができる。従って、第３レーザー光を用いて、より高精度に情報の記録及び／または再生を行うことができる。
【００２３】
請求項７記載の発明は、請求項１〜６の何れか１項に記載の光学素子において、
前記複数の波長は、波長λ２（６３０［ｎｍ］≦λ２≦６７０［ｎｍ］）及び波長λ３（７６０［ｎｍ］≦λ３≦８００［ｎｍ］）を含み、
前記光学機能面と前記波長λ２の第２レーザー光とのなす角度θ2が０［°］≦θ2≦５０［°］であるとき、
前記光学機能面における前記第２レーザー光のＰ偏光の反射率Ｒｐ2とＳ偏光の反射率Ｒｓ2とは、｜Ｒｐ2−Ｒｓ2｜≦２［％］であり、
前記光学機能面と前記波長λ３の第３レーザー光とのなす角度θ3が０［°］≦θ3≦５０［°］であるとき、
前記光学機能面における前記第３レーザー光のＰ偏光の反射率Ｒｐ3とＳ偏光の反射率Ｒｓ3とは、｜Ｒｐ3−Ｒｓ3｜≦２［％］であることを特徴とする。
【００２４】
請求項７記載の発明によれば、光学機能面と第２レーザー光とのなす角度θ2が０［°］≦θ2≦５０［°］であるとき、光学機能面における第２レーザー光のＰ偏光の反射率Ｒｐ2とＳ偏光の反射率Ｒｓ2とは｜Ｒｐ2−Ｒｓ2｜≦２［％］であるので、光学素子の外周部におけるＰ偏光とＳ偏光との透過率をより等しくすることができる。従って、従来と異なり、光検出器の入射光量が減少したり、信号に歪みが生じたりすることがないため、第２レーザー光を用いて情報の正確な記録及び／または再生を行うことができる。
また、光学機能面と第３レーザー光とのなす角度θ3が０［°］≦θ3≦５０［°］であるとき、光学機能面における第３レーザー光のＰ偏光の反射率Ｒｐ3とＳ偏光の反射率Ｒｓ3とは｜Ｒｐ3−Ｒｓ3｜≦４［％］であるであるので、光学素子の外周部におけるＰ偏光とＳ偏光との透過率をより等しくすることができる。従って、従来と異なり、光検出器の入射光量が減少したり、信号に歪みが生じたりすることがないため、第３レーザー光を用いて情報の正確な記録及び／または再生を行うことができる。
【００２５】
請求項８記載の発明は、請求項７記載の光学素子において、
前記光学機能面と前記波長λ２の第２レーザー光とのなす角度θ2が０［°］≦θ2≦５０［°］であるとき、
前記反射率Ｒｐ2と前記反射率Ｒｓ2とは、（Ｒｐ2＋Ｒｓ2）／２≦５［％］であり、
前記光学機能面と前記波長λ３の第３レーザー光とのなす角度θ3が０［°］≦θ3≦５０［°］であるとき、
前記反射率Ｒｐ3と前記反射率Ｒｓ3とは、（Ｒｐ3＋Ｒｓ3）／２≦５［％］であることを特徴とする。
【００２６】
請求項８記載の発明によれば、光学機能面と波長λ２の第２レーザー光とのなす角度θ2が０［°］≦θ2≦５０［°］であるとき、反射率Ｒｐ2と反射率Ｒｓ2とは、（Ｒｐ2＋Ｒｓ2）／２≦５［％］であり、光学機能面と波長λ３の第３レーザー光とのなす角度θ3が０［°］≦θ3≦５０［°］であるとき、反射率Ｒｐ3と反射率Ｒｓ3とは、（Ｒｐ3＋Ｒｓ3）／２≦５［％］であるので、光学素子における光量低下を最小限に抑えることができる。従って、第２レーザー光及び第３レーザー光を用いて、より高精度に情報の記録及び／または再生を行うことができる。
【００２７】
請求項９記載の発明は、請求項１〜８の何れか１項に記載の光学素子において、
前記複数の波長は、波長λ２（６３０［ｎｍ］≦λ２≦６７０［ｎｍ］）及び波長λ３（７６０［ｎｍ］≦λ３≦８００［ｎｍ］）を含むことを特徴とする。
【００２８】
請求項９記載の発明によれば、ブルーレイディスク（blu-ray disc)またはＡＯＤ（Advanced Optical Disc）と、ＤＶＤと、ＣＤとの全てに対応可能な光ピックアップ装置において、情報の正確な記録及び／または再生を行うことができる。
【００２９】
請求項１０記載の発明は、請求項１〜９の何れか１項に記載の光学素子において、
前記反射防止膜は、各光学素子本体の両面に設けられていることを特徴とする。
【００３０】
請求項１０記載の発明によれば、反射防止膜は各光学素子本体の両面に設けられているので、光学素子の外周部におけるＰ偏光とＳ偏光との透過率をより確実に高くすることができる。
【００３１】
請求項１１記載の発明は、請求項１〜１０の何れか一項に記載の光学素子において、
前記反射防止膜は、波長５００［ｎｍ］の光に対する屈折率ｎが
１．３≦ｎ≦１．５５である低屈折率材料と、
１．７≦ｎ≦２．５である高屈折率材料とのうち、少なくとも２種類の材料から形成されていることを特徴とする。
【００３２】
請求項１１記載の発明によれば、請求項１〜１０の何れか一項に記載の発明と同様の効果を得ることができる。
【００３３】
請求項１２記載の発明は、請求項１１記載の光学素子において、
前記低屈折率材料は、ＭｇＦ2またはＳｉＯ2を主成分とする材料であり、
前記高屈折率材料は、ＴｉＯ2、Ｔａ2Ｏ5、ＣｅＯ2、ＺｒＯ2、ＨｆＯ2またはＣｅＦ3を主成分とする材料であることを特徴とする。
【００３４】
請求項１２記載の発明によれば、請求項１１記載の発明と同様の効果を得ることができる。
【００３５】
請求項１３記載の発明は、請求項１〜１０の何れか一項に記載の光学素子において、
前記反射防止膜は、波長５００［ｎｍ］の光に対する屈折率ｎが
１．３≦ｎ＜１．５５である低屈折率材料と、
１．５５≦ｎ＜１．７である中屈折率材料と、
１．７≦ｎ＜２．５である高屈折率材料とのうち、少なくとも３種類の材料から形成されていることを特徴とする。
【００３６】
請求項１３記載の発明によれば、請求項１〜１０の何れか一項に記載の発明と同様の効果を得ることができる。
【００３７】
請求項１４記載の発明は、請求項１３記載の光学素子において、
前記低屈折率材料は、ＭｇＦ2またはＳｉＯ2を主成分とする材料であり、
前記中屈折率材料は、Ａｌ2Ｏ3を主成分とする材料であり、
前記高屈折率材料は、ＴｉＯ2、Ｔａ2Ｏ5、ＣｅＯ2、ＺｒＯ2、ＨｆＯ2またはＣｅＦ3を主成分とする材料であることを特徴とする。
【００３８】
請求項１４記載の発明によれば、請求項１３記載の発明と同様の効果を得ることができる。
【００３９】
請求項１５記載の発明は、請求項１〜１４の何れか一項に記載の光学素子において、
開口数が０．６５以上の対物レンズであることを特徴とする。
【００４０】
請求項１５記載の発明によれば、開口数が０．６５以上の対物レンズであるので、ブルーレイディスクまたはＡＯＤを情報記録媒体として記録及び／または再生を行うことができる。
【００４１】
請求項１６記載の発明は、請求項１〜１５の何れか一項に記載の光学素子において、
前記光学素子本体はプラスチック成形されていることを特徴とする。
【００４２】
ここで、プラスチックとしては、ポリカーボネート樹脂やポリメチルメタクリレート樹脂、ノルボルネン系樹脂、脂環式オレフィン系樹脂などの光学プラスチックを用いることができる。なお、ノルボルネン系樹脂としては、ポリオレフィン系のものを用いることが好ましい。
請求項１６記載の発明によれば、請求項１〜１５の何れか一項に記載の発明と同様の効果を得ることができる。
【００４３】
請求項１７記載の発明は、請求項１〜１５の何れか一項に記載の光学素子において、
前記光学素子本体はガラスモールド成形されていることを特徴とする。
【００４４】
ここで、ガラスとしては、低融点ガラスモールド用硝材を用いることができ、具体的にはＭ−ＢａＣＤ５（商品名、ＨＯＹＡ製）などを用いることができる。
請求項１７記載の発明によれば、請求項１〜１５の何れか一項に記載の発明と同様の効果を得ることができる。
【００４５】
請求項１８記載の発明は、請求項１〜１７の何れか一項に記載の光学素子において、
前記光学素子本体と前記反射防止膜との間には下地層が介在し、
前記下地層の屈折率ｎ0’は、前記光学素子本体の屈折率をｎ0とした場合に、｜ｎ0’−ｎ0｜≦０．１であることを特徴とする。
【００４６】
請求項１８記載の発明によれば、光学素子本体と反射防止膜との間に下地層が介在するので、光学素子本体に対する反射防止膜の密着性を向上させることができる。
また、下地層の屈折率ｎ0’は、光学素子本体の屈折率ｎ0に対して｜ｎ0’−ｎ0｜≦０．１を満たすので、下地層を設けることによる光学機能の劣化を防止することができる。
【００４７】
請求項１９記載の発明は、光ピックアップ装置であって、
請求項１〜１８の何れか一項に記載の光学素子と、レーザー光源とを備え、
前記レーザー光源から出射されたレーザー光を前記光学素子によって光記録媒体上に集光することにより、この光記録媒体への情報の記録と、前記光記録媒体に記録された情報の再生と、の少なくとも一方を実行可能であることを特徴とする。
【００４８】
請求項１９記載の発明によれば、請求項１〜１８の何れか一項に記載の発明と同様の効果を得ることができる。
【００４９】
請求項２０記載の発明は、請求項１９記載の光ピックアップ装置において、
前記光学素子本体に入射する複数の波長のレーザー光のうち、少なくとも１つは直線偏光であることを特徴とする。
【００５０】
請求項２０記載の発明によれば、請求項１９記載の発明と同様の効果を得ることができる。
なお、光学素子本体に入射するレーザー光が直線偏光であるとは、入射前のレーザー光が円偏光や楕円偏光である場合や、１／２波長板または１／４波長板を通過した場合を含む。また、光学素子本体に入射するレーザー光とは、光学素子本体を通過してから情報記録媒体で反射したレーザー光、いわゆる戻り光は含まない。
【発明の効果】
【００５１】
請求項１記載の発明によれば、従来と異なり、光学素子の外周部におけるＰ偏光とＳ偏光との透過率の乖離に起因して光検出器の入射光量が減少したり、信号に歪みが生じたりすることがないため、第１レーザー光を用いて情報の正確な記録及び／または再生を行うことができる。
【００５２】
請求項２記載の発明によれば、請求項１記載の発明と同様の効果を得ることができるのは勿論のこと、第１レーザー光を用いて、より高精度に情報の記録及び／または再生を行うことができる。
【００５３】
請求項３記載の発明によれば、請求項１または２記載の発明と同様の効果が得られるのは勿論のこと、従来と異なり、光検出器の入射光量が減少したり、信号に歪みが生じたりすることがないため、第２レーザー光を用いて情報の正確な記録及び／または再生を行うことができる。
【００５４】
請求項４記載の発明によれば、請求項３記載の発明と同様の効果を得ることができるのは勿論のこと、第２レーザー光を用いて、より高精度に情報の記録及び／または再生を行うことができる。
【００５５】
請求項５記載の発明によれば、請求項１〜４の何れか一項に記載の発明と同様の効果が得られるのは勿論のこと、従来と異なり、光検出器の入射光量が減少したり、信号に歪みが生じたりすることがないため、第３レーザー光を用いて情報の正確な記録及び／または再生を行うことができる。
【００５６】
請求項６記載の発明によれば、請求項５記載の発明と同様の効果を得ることができるのは勿論のこと、第３レーザー光を用いて、より高精度に情報の記録及び／または再生を行うことができる。
【００５７】
請求項７記載の発明によれば、請求項１〜６の何れか一項に記載の発明と同様の効果が得られるのは勿論のこと、従来と異なり、光検出器の入射光量が減少したり、信号に歪みが生じたりすることがないため、第２，第３レーザー光を用いて情報の正確な記録及び／または再生を行うことができる。
【００５８】
請求項８記載の発明によれば、請求項７記載の発明と同様の効果を得ることができるのは勿論のこと、第２レーザー光及び第３レーザー光を用いて、より高精度に情報の記録及び／または再生を行うことができる。
【００５９】
請求項９記載の発明によれば、請求項１〜８の何れか一項に記載の発明と同様の効果が得られるのは勿論のこと、ブルーレイディスクまたはＡＯＤと、ＤＶＤと、ＣＤとの全てに対応可能な光ピックアップ装置において、情報の正確な記録及び／または再生を行うことができる。
【００６０】
請求項１０記載の発明によれば、請求項１〜９の何れか一項に記載の発明と同様の効果が得られるのは勿論のこと、光学素子の外周部におけるＰ偏光とＳ偏光との透過率をより確実に高くすることができる。
【００６１】
請求項１１記載の発明によれば、請求項１〜１０の何れか一項に記載の発明と同様の効果を得ることができる。
請求項１２記載の発明によれば、請求項１１記載の発明と同様の効果を得ることができる。
【００６２】
請求項１３記載の発明によれば、請求項１〜１０の何れか一項に記載の発明と同様の効果を得ることができる。
請求項１４記載の発明によれば、請求項１３記載の発明と同様の効果を得ることができる。
【００６３】
請求項１５記載の発明によれば、請求項１〜１４の何れか一項に記載の発明と同様の効果が得られるのは勿論のこと、ブルーレイディスクまたはＡＯＤを情報記録媒体として記録及び／または再生を行うことができる。
【００６４】
請求項１６記載の発明によれば、請求項１〜１５の何れか一項に記載の発明と同様の効果を得ることができる。
請求項１７記載の発明によれば、請求項１〜１５の何れか一項に記載の発明と同様の効果を得ることができる。
【００６５】
請求項１８記載の発明によれば、請求項１〜１７の何れか一項に記載の発明と同様の効果が得られるのは勿論のこと、光学素子本体に対する反射防止膜の密着性を向上させることができる。
請求項１９記載の発明によれば、請求項１〜１８の何れか一項に記載の発明と同様の効果を得ることができる。
請求項２０記載の発明によれば、請求項１９記載の発明と同様の効果を得ることができる。
【発明を実施するための最良の形態】
【００６６】
以下、本発明の実施の形態について、図を参照して説明する。
【００６７】
＜第１の実施の形態＞
まず、本発明に係る光ピックアップ装置の実施の形態について説明する。
図１は、第１の実施の形態における光ピックアップ装置１の概略構成図である。
この図に示すように、光ピックアップ装置１は、レーザー光を出射する第１レーザー光源２ａと第２レーザー光源２ｂとを備えている。
【００６８】
第１レーザー光源２ａは波長λ１の第１レーザー光を出射するものであり、波長λ１は３８０［ｎｍ］≦λ１≦４５０［ｎｍ］、本実施の形態においてはλ１＝４０５［ｎｍ］となっている。この波長λ１は、ＡＯＤ（情報記録媒体）１００に対する使用波長である。なお、ＡＯＤ１００の保護基板１０１の厚さｔ１は、０．５［ｍｍ］≦ｔ１≦０．７［ｍｍ］となっている。
第２レーザー光源２ｂは波長λ２の第２レーザー光を出射するものであり、波長λ２は６４０［ｎｍ］≦λ２≦６８０［ｎｍ］、本実施の形態においてはλ２＝６５０［ｎｍ］となっている。この波長λ２は、ＤＶＤ（情報記録媒体）２００に対する使用波長である。なお、ＤＶＤ２００の保護基板２０１の厚さｔ２は、０．５［ｍｍ］≦ｔ２≦０．７［ｍｍ］となっている。
【００６９】
これら第１レーザー光源２ａ、第２レーザー光源２ｂから出射される各レーザー光は、集光光学系３によってＡＯＤ１００、ＤＶＤ２００に集光されるようになっている。
集光光学系３は、第１,第２コリメートレンズ３０ａ,３０ｂと、第１〜第３ビームスプリッタ３１ａ〜３１ｃと、対物レンズ（光学素子）５とを有している。
第１,第２コリメートレンズ３０ａ,３０ｂは、第１,第２レーザー光源２ａ,２ｂから出射されるレーザー光を平行光とするようになっている。
【００７０】
ビームスプリッタ３１ａは、第１レーザー光源２ａから出射される第１レーザー光を対物レンズ５の方向へ透過させるとともに、ＡＯＤ１００からの反射光、つまり戻り光を第１光検出器４ａに導くようになっている。ビームスプリッタ３１ａと第１光検出器４ａとの間には、センサーレンズ群３３ａが配設されている。
ビームスプリッタ３１ｂは、第２レーザー光源２ｂから出射される第２レーザー光をビームスプリッタ３１ｃの方向へ透過させるとともに、ＤＶＤ２００からの反射光を第２光検出器４ｂに導くようになっている。ビームスプリッタ３１ｂと第２光検出器４ｂとの間には、センサーレンズ群３３ｂが配設されている。
ビームスプリッタ３１ｃは第１レーザー光源２ａからの第１レーザー光と、第２レーザー光源２ｂからの第２レーザー光とを同一の光路にのせるようになっている。
【００７１】
対物レンズ５は、図２に示すように、レンズ本体（光学素子本体）３２ａと、第１レーザー光及び第２レーザー光に対して反射防止機能を有する反射防止膜５１とを備え、所定の方向に移動可能な２次元アクチュエータ（図示せず）に搭載されている。対物レンズ５の開口数は０．６５となっている。
【００７２】
レンズ本体５０は、プラスチック成形またはガラスモールド成形されている。ここで、レンズ本体５０に用いられるプラスチックとしては、ポリカーボネート樹脂やポリメチルメタクリレート樹脂、ノルボルネン系樹脂、脂環式オレフィン系樹脂などの光学プラスチックを用いることができる。なお、ノルボルネン系樹脂としては、ポリオレフィン系のものを用いることが好ましい。また、レンズ本体５０に用いられるガラスとしては、低融点ガラスモールド用硝材を用いることができ、具体的にはＭ−ＢａＣＤ５（商品名、ＨＯＹＡ製）などを用いることができる。
【００７３】
反射防止膜５１は、レンズ本体５０の少なくとも一方の面、本実施の形態においては両面に設けられ、光学機能面５２，５３をなしている。
光学機能面５２，５３における第１レーザー光のＰ偏光の反射率Ｒｐ1とＳ偏光の反射率Ｒｓ1とは、光学機能面５２，５３と第１レーザー光とのなす角度θ1が０［°］≦θ1≦６０［°］であるとき、｜Ｒｐ1−Ｒｓ1｜≦２［％］、（Ｒｐ1＋Ｒｓ1）／２≦５［％］となっている。ここで、反射率Ｒｐ1と反射率Ｒｓ1とは、Ｒｐ1≦４［％］、Ｒｓ1≦４［％］であることが好ましい。
光学機能面５２，５３における第２レーザー光のＰ偏光の反射率Ｒｐ2とＳ偏光の反射率Ｒｓ2とは、光学機能面５２，５３と第２レーザー光とのなす角度θ2が０［°］≦θ2≦５０［°］であるとき、｜Ｒｐ2−Ｒｓ2｜≦４［％］、（Ｒｐ2＋Ｒｓ2）／２≦５［％］となっている。ここで、反射率Ｒｐ2と反射率Ｒｓ2とは、Ｒｐ2≦５［％］、Ｒｓ2≦５［％］、｜Ｒｐ2−Ｒｓ2｜≦２［％］であることが好ましい。
【００７４】
この反射防止膜５１は、波長５００［ｎｍ］の光に対する屈折率ｎが
１．３≦ｎ≦１．５５である低屈折率材料と、
１．７≦ｎ≦２．５である高屈折率材料とのうち、少なくとも２種類の材料から２層以上３０層以下で構成されている。ここで、低屈折率材料としては、ＭｇＦ2またはＳｉＯ2を主成分とする材料を用いることができる。また、高屈折率材料としては、ＴｉＯ2、Ｔａ2Ｏ5、ＣｅＯ2、ＺｒＯ2、ＨｆＯ2またはＣｅＦ3を主成分とする材料を用いることができる。また、反射防止膜５１の形成には、蒸着やスパッタリング、ＣＶＤ、塗布などの方法が用いられている。
【００７５】
なお、レンズ本体５０と反射防止膜５１との間には下地層（図示せず）を介在させることが好ましい。この場合には、レンズ本体５０に対する反射防止膜５１の密着性を向上させることができる。更に、この下地層の屈折率ｎ0’は、レンズ本体５０の屈折率ｎ0に対して、｜ｎ0’−ｎ0｜≦０．１とすることが好ましい。この場合には、下地層を設けることによる光学機能の劣化が防止された状態となる。
【００７６】
以上のように構成された光ピックアップ装置１の動作については周知であるため詳しい説明は省略するが、第１レーザー光源２ａから出射された第１レーザー光は、第１ビームスプリッタ３１ａを通過した後、第１コリメートレンズ３０ａにおいて平行光化され、第３ビームスプリッタ３１ｃを通過する。
【００７７】
次に、第１レーザー光は対物レンズ５によってＡＯＤ１００の情報記録面上に集光され、光軸Ｌ上にスポットを形成する。ここで、光学機能面５２，５３の外周部における第１，第２レーザー光のＰ偏光とＳ偏光との透過率はそれぞれ同程度に高いので、対物レンズ５の周辺部においても透過光量の低下や偏光状態の劣化が生じず、第１，第２レーザー光のビームスポットは良好な形状となる。
次に、スポットを形成した第１レーザー光は情報記録面で情報ピットにより変調されて反射され、再び対物レンズ５、第３ビームスプリッタ３１ｃ、第１コリメートレンズ３０ａを通過して、第１ビームスプリッタ３１ａで反射して分岐される。
そして、分岐された第１レーザー光はセンサーレンズ群３３ａを経て第１光検出器４ａに入射する。第１光検出器４ａは入射光のスポットを検出して信号を出力し、その出力された信号を用いてＡＯＤ１００に記録された情報の読み取り信号を得る。
【００７８】
また、第１光検出器４ａ上でのスポットの形状変化や位置変化による光量変化等を検出して合焦検出やトラック検出が行われる。この検出結果に基づいて前記２次元アクチュエータは、第１レーザー光が情報記録面上に正確にスポットを形成するように、対物レンズ５をフォーカス方向及びトラッキング方向に移動させる。
【００７９】
一方、第２レーザー光源２ｂから出射される第２レーザー光は、第２ビームスプリッタ３１ｂを通過した後、第２コリメートレンズ３０ｂにおいて平行光化され、第３ビームスプリッタ３１ｃで反射され、対物レンズ５に至る。
【００８０】
次に、第２レーザー光は対物レンズ５によってＤＶＤ２００の情報記録面上に集光され、光軸Ｌ上にスポットを形成する。ここで、光学機能面５２，５３の外周部における第１，第２レーザー光のＰ偏光とＳ偏光との透過率はそれぞれ同程度に高いので、第１，第２レーザー光のビームスポットは良好な形状となる。
次に、スポットを形成した第２レーザー光は情報記録面で情報ピットにより変調されて反射され、再び対物レンズ５を通過し、第３ビームスプリッタ３１ｃで反射して分岐される。
そして、分岐された第２レーザー光は第２コリメートレンズ３０ｂを通過して、第２ビームスプリッタ３１ｂで反射して分岐された後、センサーレンズ群３３ａを経て第２光検出器４ｂに入射する。以下は第１レーザー光の場合と同様である。
【００８１】
以上のような光ピックアップ装置１によれば、第１，第２レーザー光のビームスポットを良好な形状とすることができるため、従来と異なり、第１，第２光検出器４ａ，４ｂの入射光量が減少せず、かつ信号に歪みが生じない。従って、第１，第２レーザー光を用いて情報の正確な記録及び／または再生を行うことができる。
【００８２】
なお、上記実施の形態においては、第２レーザー光源の波長を６４０［ｎｍ］以上、６８０［ｎｍ］以下として説明したが、７５０［ｎｍ］以上、８５０［ｎｍ］以下としても良い。この場合には、情報記録媒体としてＤＶＤ２００に代えてＣＤを用いることができる。
【００８３】
＜第２の実施の形態＞
次に、本発明に係る光ピックアップ装置の第２の実施の形態について説明する。なお、上記第１の実施の形態と同様の構成要素には同一の符号を付し、その説明を省略する。
【００８４】
本第２の実施の形態における光ピックアップ装置１Ａは、上記第１の光ピックアップ装置１と異なり、対物レンズ５の代わりに対物レンズ５Ａを備えている。
【００８５】
対物レンズ５Ａは、図２に示すように、レンズ本体５０と、反射防止膜５１Ａとを備えている。
反射防止膜５１Ａは、レンズ本体５０の少なくとも一方の面、本実施の形態においては両面に設けられ、光学機能面５２Ａ，５３Ａをなしている。
光学機能面５２Ａ，５３Ａにおける第１レーザー光のＰ偏光の反射率Ｒｐ1とＳ偏光の反射率Ｒｓ1とは、光学機能面５２Ａ，５３Ａと第１レーザー光とのなす角度θ1が０［°］≦θ1≦６０［°］であるとき、｜Ｒｐ1−Ｒｓ1｜≦２［％］、（Ｒｐ1＋Ｒｓ1）／２≦５［％］となっている。ここで、反射率Ｒｐ1と反射率Ｒｓ1とは、Ｒｐ1≦４［％］、Ｒｓ1≦４［％］であることが好ましい。
光学機能面５２Ａ，５３Ａにおける第２レーザー光のＰ偏光の反射率Ｒｐ2とＳ偏光の反射率Ｒｓ2とは、光学機能面５２Ａ，５３Ａと第２レーザー光とのなす角度θ2が０［°］≦θ2≦５０［°］であるとき、｜Ｒｐ2−Ｒｓ2｜≦４［％］、（Ｒｐ2＋Ｒｓ2）／２≦５［％］となっている。ここで、反射率Ｒｐ2と反射率Ｒｓ2とは、Ｒｐ2≦５［％］、Ｒｓ2≦５［％］、｜Ｒｐ2−Ｒｓ2｜≦２［％］であることが好ましい。
【００８６】
この反射防止膜５１Ａは、波長５００［ｎｍ］の光に対する屈折率ｎが
１．３≦ｎ＜１．５５である低屈折率材料と、
１．５５≦ｎ＜１．７である中屈折率材料と、
１．７≦ｎ＜２．５である高屈折率材料とのうち、少なくとも３種類の材料から３層以上３０層以下で形成されている。ここで、低屈折率材料としては、ＭｇＦ2またはＳｉＯ2を主成分とする材料を用いることができる。また、中屈折率材料としては、Ａｌ2Ｏ3を主成分とする材料を用いることができる。また、高屈折率材料としては、ＴｉＯ2、Ｔａ2Ｏ5、ＣｅＯ2、ＺｒＯ2、ＨｆＯ2またはＣｅＦ3を主成分とする材料を用いることができる。
【００８７】
以上のような光ピックアップ装置１Ａの動作は、上記第１の実施の形態における光ピックアップ装置１の動作と同様である。
この光ピックアップ装置１Ａによっても、上記第１の実施の形態と同様の効果を得ることができる。
【００８８】
＜第３の実施の形態＞
次に、本発明に係る光ピックアップ装置の第３の実施の形態について説明する。なお、上記第１の実施の形態と同様の構成要素には同一の符号を付し、その説明を省略する。
【００８９】
図３は、第３の実施の形態における光ピックアップ装置１Ｂの概略構成図である。
この図に示すように、光ピックアップ装置１Ｂは、上記第１の実施の形態における光ピックアップ装置１と異なり、更に第３レーザー光源２ｃ、コリメータレンズ３０ｃ、ビームスプリッタ３１ｄ及び回折板６を備え、かつ前記対物レンズ５の代わりに対物レンズ５Ｂを備えている。
【００９０】
第３レーザー光源２ｃは波長λ３の第３レーザー光を出射するものであり、波長λ３は７５０［ｎｍ］≦λ３≦８５０［ｎｍ］、本実施の形態においてはλ３＝７８０［ｎｍ］となっている。この波長λ３は、ＣＤ（第３光情報記録媒体）３００に対する使用波長である。なお、ＣＤ３００の保護基板３０１の厚さｔ３は、１．１［ｍｍ］≦ｔ３≦１．３［ｍｍ］となっている。
第３コリメートレンズ３０ｃは、第３レーザー光源２ｃから出射される第３レーザー光を平行光とするようになっている。
ビームスプリッタ３１ｄは、第３レーザー光源２ｃからの第３レーザー光と、ビームスプリッタ３１ｃを透過した第１レーザー光及び第２レーザー光とを同一の光路にのせるようになっている。ビームスプリッタ３１ｄと第３レーザー光源２ｃとの間には、ＣＤ３００からの反射光を第３光検出器４ｃに導く回折板６が配設されている。
【００９１】
対物レンズ５Ｂは、図２に示すように、レンズ本体（光学素子本体）５０と、第１レーザー光、第２レーザー光及び第３レーザー光に対して反射防止機能を有する反射防止膜５１Ｂとを備えている。
反射防止膜５１Ｂは、レンズ本体５０の少なくとも一方の面、本実施の形態においては両面に設けられ、光学機能面５２Ｂ，５３Ｂをなしている。
光学機能面５２Ｂ，５３Ｂにおける第１レーザー光のＰ偏光の反射率Ｒｐ1とＳ偏光の反射率Ｒｓ1とは、光学機能面５２Ｂ，５３Ｂと第１レーザー光とのなす角度θ1が０［°］≦θ1≦６０［°］であるとき、｜Ｒｐ1−Ｒｓ1｜≦２［％］、（Ｒｐ1＋Ｒｓ1）／２≦５［％］となっている。ここで、反射率Ｒｐ1と反射率Ｒｓ1とは、Ｒｐ1≦４［％］、Ｒｓ1≦４［％］であることが好ましい。
光学機能面５２Ｂ，５３Ｂにおける第２レーザー光のＰ偏光の反射率Ｒｐ2とＳ偏光の反射率Ｒｓ2とは、光学機能面５２Ｂ，５３Ｂと第２レーザー光とのなす角度θ2が０［°］≦θ2≦５０［°］であるとき、｜Ｒｐ2−Ｒｓ2｜≦４［％］、（Ｒｐ2＋Ｒｓ2）／２≦５［％］となっている。ここで、反射率Ｒｐ2と反射率Ｒｓ2とは、Ｒｐ2≦５［％］、Ｒｓ2≦５［％］、｜Ｒｐ2−Ｒｓ2｜≦２［％］であることが好ましい。
光学機能面５２Ｂ，５３Ｂにおける第３レーザー光のＰ偏光の反射率Ｒｐ3とＳ偏光の反射率Ｒｓ3とは、光学機能面５２Ｂ，５３Ｂと第３レーザー光とのなす角度θ3が０［°］≦θ3≦５０［°］であるとき、｜Ｒｐ3−Ｒｓ3｜≦４［％］、（Ｒｐ3＋Ｒｓ3）／２≦５［％］となっている。ここで、反射率Ｒｐ3と反射率Ｒｓ3とは、Ｒｐ3≦５［％］、Ｒｓ3≦５［％］、｜Ｒｐ3−Ｒｓ3｜≦２［％］であることが好ましい。
【００９２】
この反射防止膜５１Ｂは、波長５００［ｎｍ］の光に対する屈折率ｎが
１．３≦ｎ≦１．５５である低屈折率材料と、
１．７≦ｎ≦２．５である高屈折率材料とのうち、少なくとも２種類の材料から４層以上３０層以下で形成されている。
【００９３】
以上のように構成された光ピックアップ装置１Ｂの動作のうち、ＡＯＤ１００及びＤＶＤ２００を用いた記録及び／または再生については、上記第１の実施の形態における光ピックアップ装置１と同様である。
また、光ピックアップ装置１Ｂの動作のうち、ＣＤ３００を用いた記録及び／または再生においては、まず、第３レーザー光源２ｃから出射された第３レーザー光は、回折板６を通過した後、第３コリメートレンズ３０ｃにおいて平行光化され、第４ビームスプリッタ３１ｄで反射され、対物レンズ５Ｂに至る。
【００９４】
次に、第３レーザー光は対物レンズ５ＢによってＣＤ３００の情報記録面上に集光され、光軸Ｌ上にスポットを形成する。ここで、光学機能面５２，５３の外周部における第１，第２，第３レーザー光のＰ偏光とＳ偏光との透過率はそれぞれ同程度に高いので、対物レンズ５Ｂの周辺部においても透過光量の低下や偏光状態の劣化が生じず、第１，第２，第３レーザー光のビームスポットは良好な形状となる。
次に、スポットを形成した第３レーザー光は情報記録面で情報ピットにより変調されて反射され、再び対物レンズ５Ｂを通過し、第４ビームスプリッタ３１ｄで反射して分岐される。
そして、分岐された第３レーザー光は第３コリメートレンズ３０ｃを通過して、回折板６を通過する際に進路を変更され、第３光検出器４ｃに入射する。以下は第１レーザー光の場合と同様である。
【００９５】
以上のような光ピックアップ装置１Ｂによれば、第１〜第３レーザー光のビームスポットを良好な形状とすることができるため、従来と異なり、第１〜第３光検出器４ａ，４ｂ，４ｃの入射光量が減少しない。従って、第１〜第３レーザー光を用いて情報の正確な記録及び／または再生を行うことができる。
【００９６】
＜第４の実施の形態＞
本第４の実施の形態における光ピックアップ装置１Ｃは、上記第３の光ピックアップ装置１Ｂと異なり、対物レンズ５Ｂの代わりに対物レンズ５Ｃを備えている。
対物レンズ５Ｃは、レンズ本体（光学素子本体）５０と、反射防止膜５１Ｃとを備えている。
反射防止膜５１Ｃは、レンズ本体５０の少なくとも一方の面、本実施の形態においては両面に設けられ、光学機能面５２Ｃ，５３Ｃをなしている。
光学機能面５２Ｃ，５３Ｃにおける第１レーザー光のＰ偏光の反射率Ｒｐ1とＳ偏光の反射率Ｒｓ1とは、光学機能面５２Ｃ，５３Ｃと第１レーザー光とのなす角度θ1が０［°］≦θ1≦６０［°］であるとき、｜Ｒｐ1−Ｒｓ1｜≦２［％］、（Ｒｐ1＋Ｒｓ1）／２≦５［％］となっている。ここで、反射率Ｒｐ1と反射率Ｒｓ1とは、Ｒｐ1≦４［％］、Ｒｓ1≦４［％］であることが好ましい。
光学機能面５２Ｃ，５３Ｃにおける第２レーザー光のＰ偏光の反射率Ｒｐ2とＳ偏光の反射率Ｒｓ2とは、光学機能面５２Ｃ，５３Ｃと第２レーザー光とのなす角度θ2が０［°］≦θ2≦５０［°］であるとき、｜Ｒｐ2−Ｒｓ2｜≦４［％］、（Ｒｐ2＋Ｒｓ2）／２≦５［％］となっている。ここで、反射率Ｒｐ2と反射率Ｒｓ2とは、Ｒｐ2≦５［％］、Ｒｓ2≦５［％］、｜Ｒｐ2−Ｒｓ2｜≦２［％］であることが好ましい。
光学機能面５２Ｃ，５３Ｃにおける第３レーザー光のＰ偏光の反射率Ｒｐ3とＳ偏光の反射率Ｒｓ3とは、光学機能面５２Ｃ，５３Ｃと第３レーザー光とのなす角度θ3が０［°］≦θ3≦５０［°］であるとき、｜Ｒｐ3−Ｒｓ3｜≦４［％］、（Ｒｐ3＋Ｒｓ3）／２≦５［％］となっている。ここで、反射率Ｒｐ3と反射率Ｒｓ3とは、Ｒｐ3≦５［％］、Ｒｓ3≦５［％］、｜Ｒｐ3−Ｒｓ3｜≦２［％］であることが好ましい。
この反射防止膜５１Ｃは、波長５００［ｎｍ］の光に対する屈折率ｎが
１．３≦ｎ＜１．５５である低屈折率材料と、
１．５５≦ｎ＜１．７である中屈折率材料と、
１．７≦ｎ＜２．５である高屈折率材料とのうち、少なくとも３種類の材料から形成されている。
【００９７】
以上のように構成された光ピックアップ装置１Ｃの動作は、上記第３の実施の形態における光ピックアップ装置１Ｂの動作と同様である。
この光ピックアップ装置１Ｃによっても、上記第３の実施の形態と同様の効果を得ることができる。
【００９８】
なお、上記第１〜第４の実施の形態においては、対物レンズ５，５Ａ〜５Ｃは１つのレンズ本体５０と、レンズ本体５０の両面に設けられた反射防止膜５１、５１Ａ〜５１Ｃとを備えるものとして説明したが、図４に示すように２つのレンズ本体５０と、各レンズ本体５０の両面に設けられた反射防止膜５１とを備えるものとしても良いし、２以上のレンズ本体５０と、各レンズ本体の両面に設けられた反射防止膜５１とを備えるものとしても良い。
【００９９】
また、対物レンズ５，５Ａ〜５Ｃには直線偏光のレーザー光が入射することとして説明したが、１／４波長板によって円偏光に変換されたレーザー光が入射することとしても良い。この場合には、対物レンズ５，５Ａ〜５Ｃの外周部においてＰ偏光とＳ偏光とを同程度に透過させることによって、直線偏光から円偏光、円偏光から直線偏光といった変換を有効径内全体でほぼ確実に行うことができる。従って、情報の正確な記録及び／または再生を行うことができる。
また、光学素子を対物レンズ５として説明したが、ビームシュリンカーやビームエキスパンダーとしても良い。
また、対物レンズ５，５Ａ〜５Ｃの開口数を０．６５として説明したが、０．８５〜０．９としても良い。この場合には、情報記録媒体として、保護基板厚０．１ｍｍのブルーレイディスクをＡＯＤ１００に代えて用いることができる。
【実施例１】
【０１００】
以下に、実施例および比較例を挙げることにより、本発明をさらに具体的に説明する。なお、以下の実施例において、波長λ１は４０５［ｎｍ］、λ２は６５０［ｎｍ］、λ３は７８０［ｎｍ］であるものとする。
【０１０１】
＜実施例１−１＞
実施例１−１では、上記第１の実施の形態における対物レンズ５を、表１に示すように構成した。なお、レンズ本体はＢＫ７（商品名：ショットグラス社製）で形成した。
【０１０２】
【表１】
2005038583.tif 000003
【０１０３】
この対物レンズ５の光学機能面５２，５３における分光反射特性を測定した。また、光学機能面５２，５３に対する第１レーザー光の入射角度とＰ偏光及びＳ偏光の反射率との関係を測定した。
【０１０４】
測定の結果、光学機能面５２，５３の反射率は、図５（ａ）に示すように、波長λ１，λ２付近で１％以下となり、極小値を示していた。また、反射率が極小となる波長は、波長λ１，λ２よりも長波長側であった。従って、本実施例１−１の対物レンズ５は、波長λ１の第１レーザー光と、波長λ２の第２レーザー光とに対して反射防止機能を有しており、特に、レーザー光の入出射角度が大きい領域、つまり対物レンズ５の外周部においても反射防止機能の低下が防止されていることが分かる。よって、この対物レンズ５の反射防止膜５１は、レーザー光の入出射角度が大きい領域を有する光学素子に適用されることが好ましい。
【０１０５】
また、第１レーザー光におけるＰ偏光、Ｓ偏光の反射率は、図５（ｂ）に示すように、入出射角度に関わらず、ほぼ一致していた。従って、対物レンズ５は第１レーザー光に対して偏光状態の乱れを抑えることが分かる。
以上から、この対物レンズ５は透過光量の低下を防ぎ、かつ偏光状態の乱れを抑えることによって記録再生の確実性を高められることが分かる。
【０１０６】
＜実施例１−２＞
実施例１−２では、上記第１の実施の形態における対物レンズ５を、表２に示すように構成した。
【０１０７】
【表２】
2005038583.tif 000004
【０１０８】
この対物レンズ５の光学機能面５２，５３における分光反射特性を測定した。また、光学機能面５２，５３に対する第１，第２レーザー光の入射角度とＰ偏光及びＳ偏光の反射率との関係を測定した。
【０１０９】
測定の結果、光学機能面５２，５３の反射率は、図６（ａ）に示すように、波長λ１，λ２付近を含む広帯域の波長範囲で１％以下となり、極小値を示していた。また、反射率が極小となる波長は、波長λ１，λ２よりも長波長側であった。従って、本実施例１−２の対物レンズ５は、第１，第２レーザー光に対して反射防止機能を有しており、特に、レーザー光の入出射角度が大きい領域、つまり対物レンズ５の外周部においても反射防止機能の低下が防止されていることが分かる。よって、この対物レンズ５の反射防止膜５１は、レーザー光の入出射角度が大きい領域を有する光学素子に適用されることが好ましい。
【０１１０】
また、第１，第２レーザー光におけるＰ偏光、Ｓ偏光の反射率は、図６（ｂ）、（ｃ）に示すように、入出射角度に関わらず、ほぼ一致していた。従って、対物レンズ５は第１，第２レーザー光に対して偏光状態の乱れを抑えることが分かる。
以上から、この対物レンズ５は透過光量の低下を防ぎ、かつ偏光状態の乱れを抑えることによって記録再生の確実性を高められることが分かる。
【０１１１】
＜実施例２−１＞
実施例２−１では、上記第２の実施の形態における対物レンズ５Ａを、表３に示すように構成した。
【０１１２】
【表３】
2005038583.tif 000005
【０１１３】
この対物レンズ５Ａの光学機能面５２Ａ，５３Ａにおける分光反射特性を測定した。また、光学機能面５２Ａ，５３Ａに対する第１レーザー光の入射角度とＰ偏光及びＳ偏光の反射率との関係を測定した。
【０１１４】
測定の結果、光学機能面５２Ａ，５３Ａの反射率は、図７（ａ）に示すように、波長λ１，λ２付近で１％以下となっていた。
このことから、本実施例２−１の対物レンズ５Ａは第１，第２レーザー光に対して反射防止機能を有していることが分かる。
【０１１５】
また、第１レーザー光におけるＰ偏光、Ｓ偏光の反射率は、図７（ｂ）に示すように、入出射角度に関わらず、ほぼ一致していた。従って、対物レンズ５Ａは第１レーザー光に対して偏光状態の乱れを抑えることが分かる。
以上から、この対物レンズ５Ａは透過光量の低下を防ぎ、かつ偏光状態の乱れを抑えることによって記録再生の確実性を高められることが分かる。
【０１１６】
＜実施例２−２＞
実施例２−２では、上記第２の実施の形態における対物レンズ５Ａを、表４に示すように構成した。
【０１１７】
【表４】
2005038583.tif 000006
【０１１８】
この対物レンズ５Ａの光学機能面５２Ａ，５３Ａにおける分光反射特性を測定した。また、光学機能面５２Ａ，５３Ａに対する第１，第２レーザー光の入射角度とＰ偏光及びＳ偏光の反射率との関係を測定した。
【０１１９】
測定の結果、光学機能面５２Ａ，５３Ａの反射率は、図８（ａ）に示すように、波長λ１，λ２付近を含む広帯域の波長範囲で１％以下となり、極小値を示していた。また、反射率が極小となる波長は、波長λ１，λ２よりも長波長側であった。従って、本実施例２−２の対物レンズ５Ａは、第１，第２レーザー光に対して反射防止機能を有しており、特に、レーザー光の入出射角度が大きい領域、つまり対物レンズ５Ａの外周部においても反射防止機能の低下が防止されていることが分かる。よって、この対物レンズ５Ａの反射防止膜５１Ａは、レーザー光の入出射角度が大きい領域を有する光学素子に適用されることが好ましい。
【０１２０】
また、第１，第２レーザー光におけるＰ偏光、Ｓ偏光の反射率は、図８（ｂ）、（ｃ）に示すように、入出射角度に関わらず、ほぼ一致していた。従って、対物レンズ５Ａは第１，第２レーザー光に対して偏光状態の乱れを抑えることが分かる。
以上から、この対物レンズ５Ａは透過光量の低下を防ぎ、かつ偏光状態の乱れを抑えることによって記録再生の確実性を高められることが分かる。
【０１２１】
＜実施例３−１＞
実施例３−１では、上記第３の実施の形態における対物レンズ５Ｂを、表５に示すように構成した。
【０１２２】
【表５】
2005038583.tif 000007
【０１２３】
この対物レンズ５Ｂの光学機能面５２Ｂ，５３Ｂにおける分光反射特性を測定した。また、光学機能面５２Ｂ，５３Ｂに対する第１，第２レーザー光の入射角度とＰ偏光及びＳ偏光の反射率との関係を測定した。
測定の結果、図９（ａ）に示すように、光学機能面５２Ｂ，５３Ｂの反射率は波長λ１，λ２，λ３の付近で１％以下となっており、反射率が極小となる波長は波長λ１，λ２よりも長波長側であった。従って、本実施例３−１の対物レンズ５は、第１〜第３レーザー光に対して反射防止機能を有しており、透過光量の低下を防ぐことが分かる。また、この対物レンズ５Ｂは、レーザー光の入出射角度が大きい領域、つまり対物レンズ５Ｂの外周部における透過光量の低下を防止することが分かる。
【０１２４】
また、第１，第２レーザー光におけるＰ偏光、Ｓ偏光の反射率は、図９（ｂ）、（ｃ）に示すように、入出射角度に関わらず、ほぼ一致していた。従って、対物レンズ５Ｂは第１，第２レーザー光に対して偏光状態の乱れを抑えることが分かる。
以上から、この対物レンズ５Ｂは透過光量の低下を防ぎ、かつ偏光状態の乱れを抑えることによって記録再生の確実性を高められることが分かる。
【０１２５】
＜実施例３−２＞
実施例３−２では、上記第３の実施の形態における対物レンズ５Ｂを、表６に示すように構成した。
【０１２６】
【表６】
2005038583.tif 000008
【０１２７】
この対物レンズ５Ｂの光学機能面５２Ｂ，５３Ｂにおける分光反射特性を測定した。また、光学機能面５２Ｂ，５３Ｂに対する第１〜第３レーザー光の入射角度とＰ偏光及びＳ偏光の反射率との関係を測定した。
測定の結果、図１０（ａ）に示すように、光学機能面５２Ｂ，５３Ｂの反射率は波長λ１，λ２，λ３の付近で１％以下となっており、反射率が極小となる波長は波長λ１，λ２よりも長波長側であった。従って、本実施例３−２の対物レンズ５は、第１〜第３レーザー光に対して反射防止機能を有しており、透過光量の低下を防ぐことが分かる。また、この対物レンズ５Ｂは、レーザー光の入出射角度が大きい領域、つまり対物レンズ５Ｂの外周部における透過光量の低下を防止することが分かる。
【０１２８】
また、第１〜第３レーザー光におけるＰ偏光、Ｓ偏光の反射率は、図１０（ｂ）、（ｃ）、（ｄ）に示すように、入出射角度に関わらず、ほぼ一致していた。従って、対物レンズ５Ｂは第１〜第３レーザー光に対して偏光状態の乱れを抑えることが分かる。
以上から、この対物レンズ５Ｂは透過光量の低下を防ぎ、かつ偏光状態の乱れを抑えることによって記録再生の確実性を高められることが分かる。
【０１２９】
＜実施例４−１＞
実施例４−１では、上記第４の実施の形態における対物レンズ５Ｃを、表７に示すように構成した。
【０１３０】
【表７】
2005038583.tif 000009
【０１３１】
この対物レンズ５Ｃの光学機能面５２Ｃ，５３Ｃにおける分光反射特性を測定した。また、光学機能面５２Ｃ，５３Ｃに対する第１，第２レーザ光の入射角度とＰ偏光及びＳ偏光の反射率との関係を測定した。
測定の結果、図１１（ａ）に示すように、光学機能面５２Ｃ，５３Ｃの反射率は波長λ１，λ２，λ３の付近で１％以下となっており、反射率が極小となる波長は、波長λ１に関しては波長λ１付近とこれよりも長波長側にあり、波長λ２に関しては波長λ２よりも長波長側であった。従って、本実施例４−１の対物レンズ５Ｃは、第１〜第３レーザー光に対して反射防止機能を有しており、透過光量の低下を防ぐことが分かる。また、この対物レンズ５Ｃは、レーザー光の入出射角度が大きい領域、つまり対物レンズ５Ｃの外周部における透過光量の低下を防止することが分かる。
【０１３２】
また、第１，第２レーザー光におけるＰ偏光、Ｓ偏光の反射率は、図１１（ｂ）、（ｃ）に示すように、入出射角度に関わらず、ほぼ一致していた。従って、対物レンズ５Ｃは第１，第２レーザー光に対して偏光状態の乱れを抑えることが分かる。
以上から、この対物レンズ５Ｃは透過光量の低下を防ぎ、かつ偏光状態の乱れを抑えることによって記録再生の確実性を高められることが分かる。
【０１３３】
＜実施例４−２＞
実施例４−２では、上記第４の実施の形態における対物レンズ５Ｃを、表８に示すように構成した。
【０１３４】
【表８】
2005038583.tif 000010
【０１３５】
この対物レンズ５Ｂの光学機能面５２Ｃ，５３Ｃにおける分光反射特性を測定した。また、光学機能面５２Ｃ，５３Ｃに対する第１〜第３レーザー光の入射角度とＰ偏光及びＳ偏光の反射率との関係を測定した。
測定の結果、図１２（ａ）に示すように、光学機能面５２Ｃ，５３Ｃの反射率は波長λ１，λ２，λ３の付近で１％以下となっており、反射率が極小となる波長は、波長λ１に関しては波長λ１付近とこれよりも長波長側にあり、波長λ２に関しては波長λ２よりも長波長側であった。従って、本実施例４−２の対物レンズ５Ｃは、第１〜第３レーザー光に対して反射防止機能を有しており、透過光量の低下を防ぐことが分かる。また、この対物レンズ５Ｃは、レーザー光の入出射角度が大きい領域、つまり対物レンズ５Ｃの外周部における透過光量の低下を防止することが分かる。
【０１３６】
また、第１〜第３レーザー光におけるＰ偏光、Ｓ偏光の反射率は、図１２（ｂ）、（ｃ）、（ｄ）に示すように、入出射角度に関わらず、ほぼ一致していた。従って、対物レンズ５Ｃは第１〜第３レーザー光に対して偏光状態の乱れを抑えることが分かる。
以上から、この対物レンズ５Ｃは透過光量の低下を防ぎ、かつ偏光状態の乱れを抑えることによって記録再生の確実性を高められることが分かる。
【図面の簡単な説明】
【０１３７】
【図１】本発明に係る光ピックアップ装置の概略構成を示す図である。
【図２】本発明に係る対物レンズを示す縦断面図である。
【図３】本発明に係る光ピックアップ装置の他の実施の形態の概略構成を示す図である。
【図４】本発明に係る対物レンズの他の実施の形態を示す縦断面図である。
【図５】（ａ）は実施例１−１の対物レンズにおける分光反射曲線を示す図であり、（ｂ）はこの対物レンズに対する入射角度とＰ偏光及びＳ偏光の反射率との関係を示す図である。
【図６】（ａ）は実施例１−２の対物レンズにおける分光反射曲線を示す図であり、（ｂ）、（ｃ）はこの対物レンズに対する入射角度とＰ偏光及びＳ偏光の反射率との関係を示す図である。
【図７】（ａ）は実施例２−１の対物レンズにおける分光反射曲線を示す図であり、（ｂ）はこの対物レンズに対する入射角度とＰ偏光及びＳ偏光の反射率との関係を示す図である。
【図８】（ａ）は実施例２−２の対物レンズにおける分光反射曲線を示す図であり、（ｂ）、（ｃ）はこの対物レンズに対する入射角度とＰ偏光及びＳ偏光の反射率との関係を示す図である。
【図９】（ａ）は実施例３−１の対物レンズにおける分光反射曲線を示す図であり、（ｂ）、（ｃ）はこの対物レンズに対する入射角度とＰ偏光及びＳ偏光の反射率との関係を示す図である。
【図１０】（ａ）は実施例３−２の対物レンズにおける分光反射曲線を示す図であり、（ｂ）、（ｃ）、（ｄ）はこの対物レンズに対する入射角度とＰ偏光及びＳ偏光の反射率との関係を示す図である。
【図１１】（ａ）は実施例４−１の対物レンズにおける分光反射曲線を示す図であり、（ｂ）、（ｃ）はこの対物レンズに対する入射角度とＰ偏光及びＳ偏光の反射率との関係を示す図である。
【図１２】（ａ）は実施例４−２の対物レンズの対物レンズにおける分光反射曲線を示す図であり、（ｂ）、（ｃ）、（ｄ）はこの対物レンズに対する入射角度とＰ偏光及びＳ偏光の反射率との関係を示す図である。
【図１３】従来の光ピックアップ装置の概略構成を示す図である。
【図１４】従来の光ピックアップ装置におけるレーザー光の偏光状態を示す図であり、（ａ）は対物レンズ透過前の偏光状態、（ｂ）は対物レンズ透過後の偏光状態である。
【符号の説明】
【０１３８】
１，１Ａ〜１Ｃ  光ピックアップ装置
２ａ  第１レーザー光源（レーザー光源）
２ｂ  第２レーザー光源（レーザー光源）
２ｃ  第３レーザー光源（レーザー光源）
５，５Ａ〜５Ｃ  対物レンズ（光学素子）
５０  レンズ本体（光学素子本体）
５１，５１Ａ〜５１Ｃ  反射防止膜
５２，５３，５２Ａ〜５２Ｃ，５３Ａ〜５３Ｃ  光学機能面
１００  ＡＯＤ（情報記録媒体）
２００  ＤＶＤ（情報記録媒体）
３００  ＣＤ（情報記録媒体）
【図１】
2005038583.tif 000011
【図２】
2005038583.tif 000012
【図３】
2005038583.tif 000013
【図４】
2005038583.tif 000014
【図５】
2005038583.tif 000015
【図６】
2005038583.tif 000016
【図７】
2005038583.tif 000017
【図８】
2005038583.tif 000018
【図９】
2005038583.tif 000019
【図１０】
2005038583.tif 000020
【図１１】
2005038583.tif 000021
【図１２】
2005038583.tif 000022
【図１３】
2005038583.tif 000023
【図１４】
2005038583.tif 000024